(57)【要約】  ワイヤレス通信ネットワークにおいて、ワイヤレス通信デバイスのセクタロケーションを決定し、専用データアクセスチャネルを確立することなく、シグナリングチャネルを通して、基地局からワイヤレス通信デバイスに送信する装置および方法である。基地局がシグナリングチャネルを通してワイヤレス通信デバイスにデータを送る準備ができたときに、基地局は、最初、ルートテーブル更新メッセージをワイヤレス通信デバイスに送る。ワイヤレス通信デバイスは、何らかのルーチンを開始してトラッフィクチャネルを確立することなく、応答を基地局に返信する。応答はセクタ情報とともに基地局に配信される。応答を受け取った後に、基地局は、シグナリングチャネルを通して、ワイヤレス通信デバイスが位置するセクタにデータを送信する。【選択図】      図４
2008504738.tif 000002
【特許請求の範囲】
【請求項１】
ワイヤレス通信ネットワークにおいて、ワイヤレス通信デバイスのセクタロケーションを決定し、シグナリングチャネルを通して、専用データアクセスチャネルを選択的に確立する基地局からワイヤレス通信デバイスにデータを送信し、決定は、専用データアクセスチャネルを確立することなく実行される方法において、
シグナリングチャネルを通して、基地局から、基地局と通信している複数のセクタにブロードキャストメッセージをブロードキャストするステップと、
ワイヤレス通信デバイスにおいて、ブロードキャストメッセージを受け取り、ワイヤレス電気通信は、ブロードキャストメッセージの受け取りのために、ワイヤレス通信デバイスと基地局との間の専用データアクセスチャネルをセットアップしないステップと、
ワイヤレス通信デバイスから肯定応答を送るステップと、
ワイヤレス通信デバイスから肯定応答を受け取り、肯定応答はセクタロケーション情報とともに配信されるステップと、
シグナリングチャネルを通して、基地局から、セクタロケーション情報によって識別されたセクタにデータを送信するステップとを含む方法。
【請求項２】
データは、少なくとも１つのインターネットプロトコル（ＩＰ）データパケットである請求項１記載の方法。
【請求項３】
ブロードキャストメッセージは、ルート更新要求メッセージである請求項１記載の方法。
【請求項４】
データは、プッシュ・ツー・トーク（ＰＴＴ）メッセージである請求項１記載の方法。
【請求項５】
ＰＴＴメッセージは、通知メッセージである請求項４記載の方法。
【請求項６】
ＰＴＴメッセージをシグナリングメッセージに埋め込むステップをさらに含む請求項１記載の方法。
【請求項７】
ワイヤレス通信ネットワークにおいて、ワイヤレス通信デバイスのセクタロケーションを決定し、専用データアクセスチャネルを確立することなく、シグナリングチャネルを通して基地局からワイヤレス通信デバイスにデータを送信する装置において、
第１のメッセージをデータネットワークから受け取り、メッセージはワイヤレス通信デバイスに対してアドレス指定されているネットワークインターフェイスユニットと、
第１のメッセージを解析する制御装置ユニットと、
無線信号を通して、ワイヤレス通信デバイスと通信する無線インターフェイスユニットとを具備し、
制御装置は、第１のメッセージに応答して、装置と通信している複数のセクタに第２のメッセージをブロードキャストし、第２のメッセージをブロードキャストすることによって、第３のメッセージをワイヤレス通信デバイスから受け取るようにし、第３のメッセージはセクタ情報とともに配信され、
制御装置は、第３のメッセージに応答して、シグナリングチャネルを通して、セクタ情報によって識別されたセクタに第１のメッセージを送信する装置。
【請求項８】
第１のメッセージである場合に、プッシュ・ツー・トーク（ＰＴＴ）メッセージである請求項７記載の装置。
【請求項９】
ＰＴＴメッセージは、ＰＴＴ通話通知メッセージである請求項８記載の装置。
【請求項１０】
第２のメッセージは、ルート更新要求メッセージである請求項７記載の装置。
【請求項１１】
第２のメッセージは、装置に対するデータアクセスチャネルをワイヤレス通信デバイスに確立させない請求項７記載の装置。
【請求項１２】
ワイヤレス通信ネットワークにおいて、ワイヤレス通信デバイスのセクタロケーションを決定し、専用データアクセスチャネルを確立することなく、シグナリングチャネルを通して、基地局からワイヤレス通信デバイスにデータを送信する装置において、
第１のメッセージをデータネットワークから受け取り、メッセージはワイヤレス通信デバイスに対してアドレス指定されている手段と、
第１のメッセージを解析する手段と、
無線信号を通して、ワイヤレス通信デバイスと通信する手段とを具備し、
解析する手段は、第１のメッセージに応答して、装置と通信している複数のセクタに第２のメッセージをブロードキャストし、第２のメッセージをブロードキャストすることによって、第３のメッセージをワイヤレス通信デバイスから受け取るようにし、第３のメッセージはセクタ情報とともに配信され、
解析する手段は、第３のメッセージに応答して、シグナリングチャネルを通して、セクタ情報によって識別されたセクタに第１のメッセージを送信する装置。
【請求項１３】
第１のメッセージである場合に、プッシュ・ツー・トーク（ＰＴＴ）メッセージである請求項１２記載の装置。
【請求項１４】
ＰＴＴメッセージは、ＰＴＴ通話通知メッセージである請求項１３記載の装置。
【請求項１５】
第２のメッセージは、ルート更新要求メッセージである請求項１２記載の装置。
【請求項１６】
第２のメッセージは、装置に対するデータアクセスチャネルをワイヤレス通信デバイスに確立させない請求項１２記載の装置。
【請求項１７】
ワイヤレス通信ネットワークにおいて、ワイヤレス通信デバイスのセクタロケーションを決定し、専用データアクセスチャネルを確立することなく、シグナリングチャネルを通して、基地局からワイヤレス通信デバイスにデータを送信するコンピュータプログラムが記憶されているコンピュータ読取可能な媒体において、
コンピュータプログラムはコンピュータ命令を含み、コンピュータプログラムは、ワイヤレス通信ネットワーク中の装置によって実行されるときに、
シグナリングチャネルを通して、基地局から、基地局と通信している複数のセクタにブロードキャストメッセージをブロードキャストし、ブロードキャストメッセージは、ワイヤレス通信デバイスによって受け取られたときに、ワイヤレス通信デバイスと基地局との間の何らかの専用データアクセスチャネルをワイヤレス通信デバイスにセットアップさせないステップと、
ブロードキャストメッセージの受け取りに応答して、ワイヤレス通信デバイスから肯定応答を送るステップと、
ワイヤレス通信デバイスから肯定応答を受け取り、肯定応答はセクタロケーション情報とともに配信されるステップと、
シグナリングチャネルを通して、基地局から、セクタロケーション情報によって識別されたセクタにデータを送信するステップとを行うコンピュータ読取可能な媒体。
【請求項１８】
データは、少なくとも１つのインターネットプロトコル（ＩＰ）データパケットである請求項１７記載の方法。
【請求項１９】
ブロードキャストメッセージは、ルート更新要求メッセージである請求項１７記載の方法。
【請求項２０】
データは、プッシュ・ツー・トーク（ＰＴＴ）メッセージである請求項１７記載の方法。
【請求項２１】
ＰＴＴメッセージは、通知メッセージである請求項１７記載の方法。
【請求項２２】
ＰＴＴメッセージをシグナリングメッセージに埋め込むステップをさらに含む請求項１７記載の方法。
【発明の詳細な説明】
【関連出願】
【０００１】
本出願は、２００４年６月２１日に出願された仮出願シリアル番号第６０／５８１，８４１号の利益を主張しており、この参照により、すべてここに組み込まれている。
【発明の分野】
【０００２】
本発明は、ワイヤレス電気通信システムにおけるデータ伝送に関し、さらに詳細に述べると、専用トラフィックチャネルをセットアップするワイヤレス電気通信システムにおけるシグナリングチャネルを介するデータの高速伝送に関する。
【関連技術の説明】
【０００３】
ワイヤレス電気通信システムにおいて、プッシュ・ツー・トーク（ＰＴＴ）能力は、サービスセクタによって一般化している。ＰＴＴがサポートできるのは、コード分割多元接続（ＣＤＭＡ）、周波数分割多元接続（ＦＤＭＡ）、時間分割多元接続（ＴＤＭＡ）、グローバルシステムフォーモバイル通信（ＧＳＭ）のような、標準規格の商用ワイヤレスインフラストラクチャを通じて動作する“ディスパッチ”音声サービスである。ディスパッチモデルでは、エンドポイント（エンドユーザデバイス）間の通信は、仮想グループ内で生じ、一人の“話者”の音声が、一人以上の“受話者”にブロードキャストされる。このタイプの通信の単一の例は、ディスパッチ通話、すなわち簡単に言うと、ＰＴＴ通話と呼ばれるのが一般的である。ＰＴＴ通話は、通話の特徴を規定するグループのインスタンシエーションである。基本的に、メンバリストおよびグループ名またはグループ識別のような関係する情報によって、グループが規定される。ワイヤレスマルチキャストチャネルがないときに、通話を管理するＰＴＴサーバと各エンドポイントとの間の別のポイントツーポイント接続の組み合わせによって各グループは形成される。各エンドポイントはクライアントとしても知られている。
【０００４】
図１は、ＰＴＴ通信をサポートする先行技術のアーキテクチャ１００を図示している。アーキテクチャは、キャリアのＣＤＭＡのインフラストラクチャおよびパケットデータネットワークとともに、単一のＰＴＴサーバ領域の配備を含む。ＰＴＴサーバの各領域は、キャリアのパケットデータネットワークの特定の部分に対して配備される。領域内のＰＴＴサーバは、キャリアのネットワークにおいて、１つ以上のパケットデータサービスノード（ＰＤＳＮ）との間のトラフィックをルーティングしてもよい。ＰＴＴ機能をサポートする通信デバイス１０２は、基地局（ＢＳ）１０４と通信する。各ＢＳ１０４は１つ以上の基地送信局（ＢＴＳ）１１４と通信してもよい。基地局１０４は高速ネットワーク１０６と通信し、通信デバイス１０２から受け取られたＰＴＴ通信は、基地局１０４とネットワーク１０６とを通してパケットデータサービスノード（ＰＤＳＮ）に送られる。ＰＤＳＮは、高速ネットワーク１０６およびＰＴＴサーバのネットワーク１０８と通信し、ＰＴＴサーバのネットワーク１０８はＰＴＴネットワーク１１０に接続される。ＰＤＳＮは、ＰＴＴネットワーク１１０中のＰＴＴサーバ１１２にＰＴＴ通信を転送する。
【０００５】
ＰＴＴサーバ１１２は、ＰＴＴグループのメンバ間のＰＴＴ通信を取り扱う。ＰＴＴサーバ１１２はＰＴＴ通信を一人のメンバから受け取り、そのＰＴＴ通信をＰＴＴグループのすべてのメンバに転送する。ＰＴＴ通信は、一般的に、ネットワーク１１０からデータパケットとして受け取られ、ＰＴＴサーバ１１２によって送出されるＰＴＴ通信もデータパケットフォーマットである。パケットデータサービスノード（ＰＤＳＮ）および接続された基地局（ＢＳ）はＢＴＳ１１４を通して専用チャネルを確立して、受信移動体クライアント（ＰＴＴメンバ）にＰＴＴ通信を送信する。
【０００６】
図２は、ＰＴＴ通話セットアップの先行技術のメッセージフロー２００を図示している。ＰＴＴユーザ（発信者）がＰＴＴ通信を実行する準備ができたとき、ユーザ（発信者）が自分の移動体デバイス１０２上のＰＴＴ起動ボタンを押すと、ＰＴＴ要求が実行される。移動体デバイス１０２によって受け取られたＰＴＴ要求に応答して、移動体デバイスは通話要求をＰＴＴサーバ１１２に送る。このＰＴＴサーバ１１２は、ＰＴＴディスパッチャとしても知られている。ＰＴＴサーバ１１２は、通話要求を受け取り、通話要求を処理する。通話要求処理は、ＰＴＴユーザを識別することと、ＰＴＴユーザが属しているＰＴＴグループを識別することと、このＰＴＴグループのメンバを識別することと、ＰＴＴグループの各メンバに送る通話通知メッセージを準備することとを含む。
【０００７】
ＰＴＴサーバ１１２が通話通知メッセージを送った後、各通話通知メッセージはＰＤＳＮによって受け取られ、ＰＤＳＮによってＢＳ１０４に転送される。ＢＳ１０４は、ＢＳ１０４に接続されているＢＴＳ１１４によってカバーされているすべてのセクタに通話通知メッセージをブロードキャストする。ターゲット受信機である移動体クライアントが利用可能である場合、移動体クライアントは、通話受入メッセージをＰＴＴサーバ１１２に返信する。通話受入メッセージを少なくとも１つの移動体クライアントから受け取った後、ＰＴＴサーバ１１２は、発言許可メッセージを発信移動体クライアントに返信する。発信者のＰＴＴ通信グループ中に一人より多いターゲットユーザがいてもよく、少なくとも一人のターゲット移動体クライントが利用可能である場合に、ＰＴＴサーバ１１２は発信者に対して発言を許可する。発言許可メッセージを受け取った後、ＰＴＴ要求移動体クライアント（発信者）はＰＴＴ通信を実行できる。
【０００８】
先に記述したＰＴＴ通信セットアッププロセスは時間に影響を受け易く、図２で示している初期ＰＴＴ待ち時間は、ネットワークトラフィックによって影響を受ける。長い待ち時間は、ＰＴＴ通信のユーザに直接影響を及ぼす。ＰＴＴ通話セットアッププロセスを改良しようという一部の試みがあり、ＰＴＴ通話セットアップの速度を上げる１つの方法は、通話通知メッセージをシグナリングメッセージに埋め込み、シグナリングチャネルを通してターゲット受信機に通話通知メッセージを送信するものである。
【０００９】
シグナリングチャネルを通して通話通知メッセージを送信すると、ＰＴＴ通話セットアッププロセスの速度が上がる。しかしながら、特に、受信機のロケーションが不明で、シグナリングメッセージを広いエリアにブロードキャストしなければならないときに、シグナリングチャネルを通して通話通知メッセージを送信すると、ワイヤレス通信ネットワークにシグナリングメッセージがあふれる。したがって、受信機が位置する領域へのシグナリングメッセージのターゲット送信を可能にし、それゆえに、ワイヤレス通信ネットワークワークにシグナリングメッセージを不必要にあふれさせることなく、高速ＰＴＴセットアップを可能にするシステムおよび方法が望まれ、そのようなシステムおよび方法に本発明は主に向けられている。
【発明の概要】
【００１０】
本発明の装置および方法は、ワイヤレス電気通信ネットワークにおいて、ターゲットワイヤレスデバイスが位置していないセクタにＩＰデータパケットを送信することなく、シグナリンチャネルを通してＩＰデータパケットを送信できるようにして、ネットワークに不必要なシグナリングメッセージをあふれさせることを回避する。１つの実施形態では、ワイヤレス通信ネットワークにおいて、ワイヤレス通信デバイスのセクタロケーションを決定し、専用データアクセスチャネルを確立することなく、シグナリングチャネルを通して、基地局からワイヤレス通信デバイスにデータを送信する方法を提供する。方法は、シグナリングチャネルを通して、基地局から、基地局と通信している複数のセクタにブロードキャストメッセージをブロードキャストすることと、ワイヤレスデバイスにおいてブロードキャストメッセージを受け取り、それらのワイヤレスデバイスから肯定応答を送ることと、肯定応答をワイヤレス通信デバイスから受け取ることとを含み、肯定応答は、セクタロケーション情報とともに配信される。方法は、シグナリングチャネルを通して、基地局から、セクタロケーション情報によって識別されたセクタにデータを送信することも含む。ワイヤレス通信デバイスによって受け取られたときに、ブロードキャストメッセージは、ワイヤレス通信デバイスにワイヤレス通信デバイスと基地局との間の何らかのデータアクセスチャネルをセットアップさせない。
【００１１】
別の実施形態では、ワイヤレス通信ネットワークにおいて、ワイヤレス通信デバイスのセクタロケーションを決定し、専用データアクセスチャネルを確立することなく、基地局からワイヤレス通信デバイスにデータを送信する装置を提供する。装置は、ワイヤレス通信デバイスに対してアドレス指定されている第１のメッセージをデータネットワークから受け取るネットワークインターフェイスユニットと、第１のメッセージを解析する制御装置ユニットと、無線信号を通してワイヤレス通信デバイスと通信する無線インターフェイスユニットとを備える。制御装置は、第１のメッセージに応答して、装置と通信している複数のセクタに第２のメッセージをブロードキャストし、第２のメッセージをブロードキャストすることによって、第３のメッセージをワイヤレス通信デバイスから受け取らせる。第３のメッセージはセクタ情報とともに配信される。制御装置は、第３のメッセージに応答して、シグナリングチャネルを通して、セクタ情報によって識別されたセクタに第１のメッセージを送信する。
【００１２】
したがって、ワイヤレス通信ネットワークにシグナリングメッセージを不必要にあふれさせることなく、すなわち、ワイヤレスデバイスに専用トラフィックチャネルを開通し始めさせることなく、受信機が位置する領域へのシグナリングメッセージのターゲット送信を可能し、高速ＰＴＴセットアップを可能にするので、本装置および本方法は効果的である。
【００１３】
本発明の効果および特徴は、図面の簡単な説明、発明の詳細な説明および特許請求の範囲に記載されている以後のものをレビューした後に明らかになるであろう。
【発明の詳細な説明】
【００１４】
この説明では、“通信デバイス”、“ワイヤレスデバイス”、“ワイヤレス通信デバイス”、“ＰＴＴ通信デバイス”、“ハンドヘルドデバイス”、“移動体デバイス”および“ハンドセット”というこれらの言葉を同義的に用いる。ここで用いるような“アプリケーション”という言葉には、実行可能および実行不可能なソフトウェアファイル、生データ、集積データ、パッチおよび他のコードセグメントを含めることを意図している。“例示的な”という言葉は、開示された構成要素または実施形態が例のみであることを意味しており、この言葉は、ユーザの何らかのパフォーマンスを示していない。さらに、同じ番号は、いくつかの図面を通して同じ構成要素を参照し、説明において特定されない限り、冠詞“ａ”および“ｔｈｅ”は複数形の参照を含む。
【００１５】
概略では、システムおよび方法によって、ＰＴＴ通話セットアッププロセスの間、ワイヤレス通信ネットワークにシグナリングメッセージをあふれさせることなく、シグナリングチャネルを通して、基地局からワイヤレスデバイスへのメッセージのターゲット送信が可能になる。一般的に、ＰＴＴサーバ１１２が通話セットアップ要求メッセージを発信ワイヤレスデバイス１０２から受け取ったとき、ＰＴＴサーバ１１２は、ターゲットワイヤレスデバイス１０２を識別し、通話通知メッセージをターゲットワイヤレスデバイス１０２のそれぞれに送る。通話通知メッセージは、ＰＴＴサーバ１１２から、ターゲットワイヤレスデバイス１０２を受け持つＢＳ１０４に送られる。ＢＳ１０４が通話通知メッセージをＰＴＴサーバ１１２から受け取った後、ターゲットワイヤレスデバイス１０２の位置を見つけた後にＢＳ１０４は、トラフィックチャネルを通して通話通知メッセージをターゲットワイヤレスデバイス１０２に送信できる。一般的に、ＢＳ１０４は、ＢＳ１０４のカバレージエリア内のすべてのセクタにブロードキャストされるピングメッセージを利用して、ターゲットワイヤレスデバイス１０２の位置を見つける。ターゲットワイヤレスデバイス１０２がピングメッセージを受け取ったとき、ターゲットワイヤレスデバイス１０２は接続要求メッセージをＢＳ１０４に返信し、ＢＳ１０４からメッセージを受け取る準備として、トラフィックチャネルを稼動させ始める。代わりに、プロセスの速度を上げるために、ＢＳ１０４は、受け取られた通話通知メッセージをシグナリングメッセージに埋め込み、シグナリングチャネルを通してシグナリングメッセージをすべてのセクタにブロードキャストすることができる。通話通知メッセージは、ターゲットワイヤレスデバイス１０２によって受け取られたときに、ターゲットワイヤレスデバイス１０２に通話受入メッセージをＢＳ１０４に返信させる。
【００１６】
ピングメッセージをブロードキャストすることに続き、トラフィックチャネルを通して通話通知メッセージを送信することと比較したときに、シグナリングチャネルを通して通話通知メッセージをターゲットワイヤレスデバイス１０２にブロードキャストすることによって、ＰＴＴ通話セットアッププロセスの速度が上がる。しかしながら、通話通知メッセージはインターネットプロトコル（ＩＰ）データパケットのフォーマットであることが一般的であり、そのサイズは通常大きい。ページングメッセージが１バイトまたは２バイトの長さしかないのに比べて、通話通知メッセージは、ＩＰヘッダとペイロードとを含む５０バイトから６０バイトのサイズに及ぶ。セクタのうちの１つのみのセクタにターゲットワイヤレスデバイス１０２が位置しているのに、シグナリングチャネルを通して、ＢＳ１０４によってカバーされているすべてのセクタに対してそのような大きいメッセージをブロードキャストすることは、カバレージエリア全体をあふれさせる。
【００１７】
本発明にしたがったＢＳ１０４は、シグナリングチャネルを通して、ＢＳ１０４のカバレージエリアに冗長なシグナリングメッセージをあふれさせることを回避し、通話通知メッセージを受け取る準備として、ターゲットワイヤレスデバイス１０２がトラフィックチャネルを稼動させるステップを取ることを防ぐ。通話通知メッセージをＰＴＴサーバ１１２から受け取った後に、ＢＳ１０４によってカバーされているすべてのセクタに対してルート更新要求メッセージを、シグナリングチャネルを通して最初にブロードキャストすることによって、ＢＳ１０４はターゲットワイヤレスデバイス１０２の位置を見つける。ルート更新要求メッセージは、ワイヤレスデータ接続をサポートする評価データのみ（ＥｖＤＯ）の標準規格によって定義されているショートメッセージである。ルート更新要求メッセージは、ショートメッセージであり、受信ワイヤレスデバイス１０２にトラフィックチャネルをセットアップさせる何らかのアクションを取らせない。その代わりに、受信ワイヤレスデバイス１０２が、ルート更新応答メッセージをＢＳ１０４に返信する。ルート更新応答メッセージはＢＴＳ１１４によって受け取られ、ＢＳ１０４に送り返される。ＢＴＳ１１４の識別子は、ワイヤレスデバイスが位置するセクタをＢＳ１０４に対して明らかにする。それから、ＢＳ１０４は、シグナリングチャネルを通して、埋め込まれた通話通知メッセージを持つシグナリングメッセージをワイヤレスデバイス１０２のセクタに送信することができる。
【００１８】
図３は、データネットワークを通してＰＴＴ関連メッセージをＰＴＴサーバ１１２から受け取り、ＰＴＴ関連メッセージをＢＴＳ１１４に送信することができる、ＢＳサーバ１０４の簡略化されたアーキテクチャ３００である。ＢＳサーバ１０４は、データパケットをデータネットワークから受け取るネットワークインターフェイスユニット３０４、ＰＴＴメッセージをワイヤレスデバイス１０２に送信するＢＴＳ１１４に、無線信号フォーマットでＰＴＴメッセージを送るＢＴＳインターフェイスユニット３０６、および制御装置ユニット３０８を備える。ＢＳ１０４はデータネットワークを通してＰＴＴサーバ１１２と通信する。
【００１９】
図４は、本発明の１つの実施形態にしたがった基地局プロセスの例示的なフローチャート４００である。基地局１０４は、ステップ４０２において、ＰＴＴメッセージをＰＴＴサーバ１１２から受け取る。ＰＴＴメッセージが受け取られたときに、ステップ４０４において、ＰＴＴメッセージが通話通知メッセージであるか否かを基地局１０４によって、解析される。ＰＴＴメッセージは、ＰＴＴメッセージのパケットヘッダによって識別される。ＰＴＴメッセージが通話通知メッセージでない場合に、一般的に、基地局１０４は、受け取られたＰＴＴメッセージを処理するためにステップ４０６に進む。ＰＴＴメッセージが通話通知メッセージである場合に、シグナリングチャネルを通して、基地局１０４に接続されているすべてのセクタに通話通知メッセージをブロードキャストする代わりに、ステップ４０８において、基地局１０４は、ターゲットワイヤレスデバイス１０２に向けてルート更新要求メッセージを発生させる。ルート更新要求メッセージを発生させた後に、ステップ４１０において、基地局１０４に接続されているすべてのＢＴＳ１１４を介して、基地局１０４はルート更新要求メッセージをブロードキャストする。ルート更新要求メッセージをブロードキャストした後に、ステップ４１２において、基地局１０４は応答を待つ。受け取られた応答がなく、時間切れが生じた場合に、基地局１０４は、エラー状態に対処するためにステップ４１６に進む。
【００２０】
ルート更新応答メッセージがＢＴＳ１１４のうちの１つによって配信されるとき、ステップ４１８において、基地局１０４は、受信ＢＴＳ１１４の識別子を通して、ワイヤレスデバイス１０２が位置するセクタを識別する。受信ＢＴＳ１１４と受信ＢＴＳ１１４に関係するセクタとを識別した後に、ステップ４２０において、基地局１０４は、通話通知メッセージを埋め込んだシグナリングメッセージをアセンブルし、ステップ４２２において、シグナリングチャネルを通して、受信ＢＴＳ１１４によって識別されたセクタにシグナリングメッセージを送信する。通話通知メッセージを持つシグナリングメッセージが、シグナリングチャネルを通してターゲットワイヤレスデバイス１０２によって受け取られ、その後、ターゲットワイヤレスデバイス１０２が、シグナリングチャネルを通して通話受入メッセージを基地局１０４に返信し、そのメッセージをＰＴＴサーバ１１２に転送する。
【００２１】
ＰＴＴ環境について上記で本発明を記述したが、本発明は、ＰＴＴ通信に限定されず、通話通知メッセージまたはルート更新要求メッセージに限定されない。広い意味で、本発明は、ワイヤレス電気通信ネットワークにおいて、ターゲットワイヤレスデバイスが位置していないセクタにＩＰデータパケットを送信することなく、シグナリングチャネルを通してＩＰデータパケットを送信することを可能にする。それにより、本発明は、ネットワークに不必要なシグナリングメッセージをあふれさせることを回避する。基地局に応答を返信することを除いて、ターゲットワイヤレスデバイスからのアクションを要求しないシグナリングメッセージを最初に送信することによって、基地局１０４は、ターゲットデバイスが位置するセクタについて知ることができ、シグナリングチャネルを通して、シグナリングメッセージ内のＩＰデータパケットをこの正確なセクタに送信する。
【００２２】
ワイヤレスサービスプロバイダのコンピュータデバイスで実行可能な方法を考慮すると、方法は、コンピュータ読取可能な媒体に存在しているプログラムによって行われる。プログラムは、コンピュータプラットフォームを持つサーバまたは他のコンピュータデバイスに対して方法のステップを行うように指示する。コンピュータ読取可能な媒体はサーバのメモリであってもよく、または接続可能なデータベース中に存在していてもよい。さらに、磁気ディスクまたはテープ、光ディスク、ハードディスク、フラッシュメモリ、あるいは技術的に知られている他の記憶媒体のような、ワイヤレス通信デバイスコンピュータプラットフォーム上にロード可能な二次記憶媒体中に、コンピュータ読取可能な媒体は存在することができる。
【００２３】
図４の内容において、方法は、例えば、ワイヤレス通信デバイスまたはサーバのようなワイヤレスネットワークの一部分を動作することによって実現されて、機械読取可能な命令のシーケンスを実行してもよい。ステップをシーケンスで図示しているが、方法は、異なったシーケンスで実現されてもよく、またはイベント駆動プロセスとして実現されてもよい。命令は、さまざまなタイプの信号担持またはデータ記憶の一次、二次または三次の媒体に存在してもよい。媒体は、例えば、ワイヤレスネットワークのコンポーネントによりアクセス可能な（示されていない）ＲＡＭ、または、そのコンポーネント内に存在する（示されていない）ＲＡＭを含んでいてもよい。ＲＡＭ、ディスケット（登録商標）、または他の第二次記憶メディア中に含まれているか否かにより、ＤＡＳＤ記憶装置（例えば、従来の“ハードドライブ”またはＲＡＩＤアレイ）、磁気テープ、電子リードオンリーメモリ（例えば、ＲＯＭ、ＥＰＲＯＭまたはＥＥＰＲＯＭ）、フラッシュメモリカード、光記憶デバイス（例えば、ＣＤ−ＲＯＭ、ＷＯＲＭ、ＤＶＤ、デジタル光テープ）、ペーパー“パンチ”カードまたはデジタルおよびアナログ送信媒体を含む他の適切なデータ記憶媒体のような、さまざまな機械読取可能なデータ記憶媒体上に命令を記憶させてもよい。
【００２４】
これらの好ましい実施形態に関連して、本発明を詳しく示し、説明しているが、添付した特許請求の範囲に示しているように、本発明の精神および範囲を逸脱することなく、形態におけるさまざまな変更および細部にわたる変更ができることを、当業者は理解すべきである。例えば、上記の説明は、オーディオＰＴＴ通信に基づいており、ビデオ、データ等のような他のタイプの媒体をサポートするように、装置、システムおよび方法を容易に修正できることを理解すべきである。さらに、本発明の構成要素は単数形で記述され、特許請求の範囲に記載されているが、単数形に対する限定が明示的に示されない限り、複数形を意図している。
【図面の簡単な説明】
【００２５】
【図１】図１は、ワイヤレス通信ネットワークの先行技術アーキテクチャである。
【図２】図２は、ＰＴＴ通話をセットアップする先行技術メッセージフローである。
【図３】図３は、本発明の１つの実施形態にしたがった基地局のアーキテクチャである。
【図４】図４は、基地局プロセスの例示的な実施形態のフローチャートである。
【図１】
2008504738.tif 000003
【図２】
2008504738.tif 000004
【図３】
2008504738.tif 000005
【図４】
2008504738.tif 000006
【国際調査報告】
2008504738.tif 000007
2008504738.tif 000008
2008504738.tif 000009